(57)【要約】【課題】  プレスフリー仕様のファンデーション下着等において、バスト部のズレを抑えつつも前身頃の着丈を伸縮可能にして背筋だけでなく胸部も十分に伸びて呼吸を妨げない姿勢矯正用衣類を提供する。【解決手段】  伸縮性素材を用いた上半身衣類において、カップ台部と腹部の境界ウエストラインより上で、アンダーバストラインより下の位置において、前身頃を分断５し、腹部パーツ４の上にカップ台パーツ３が１０ｍｍ以上の重なり６をもつ開放された重合部を設けた。なお、カップ部の前面中央部に掛脱具を設け、カップ部の固定性能を高めるようにしてもよい。【選択図】        図１
0003147553.tif 000002
【実用新案登録請求の範囲】
【請求項１】
伸縮性素材を用いた上半身衣類において、カップ台部と腹部の境界ウエストラインより上で、アンダーバストラインの下の位置において前身頃を分断し、腹部パーツの上にカップ台パーツが１０ｍｍ以上の重なりを持つ開放された重合部を設けてなることを特徴とする姿勢矯正用衣類。
【請求項２】
カップ部の前面中央部に掛脱具を設け、カップ部の固定性能を高めた請求項１記載の姿勢矯正用衣類。
【考案の詳細な説明】
【技術分野】
【０００１】
本考案は身体の上半身に装着し、背筋だけでなく、胸部も十分に伸び、呼吸運動も妨げることのない姿勢矯正用衣類に関するものである。
【背景技術】
【０００２】
日常生活において長時間、同じ姿勢をとり続ける結果、疲労により姿勢が変形し、いわゆる猫背の前屈み状態になり、放置しておくと骨格の変形により美しい姿勢が失われることになる。
【０００３】
そこで、このような姿勢を矯正するため姿勢矯正用衣類として、背当て部に背柱をカバーする矯正部を内側に取着して猫背を未然に防止し、姿勢を正しくさせるようにしたもの（特許文献１参照），伸縮性帯材を背当て部の下部側部から背当て部を交叉して反対側の肩部と、さらに前合わせ部下部に構成して身体を後側に引かせて、前屈み傾向の姿勢を矯正するもの（特許文献２参照），伸縮性素材を用いて一体成型形状に上半身ウエアを作成し、該上半身ウエアを着用することで体の必要部位に着圧をかけてテーピング効果により体形を補正するようにしたもの（特許文献３参照）などが提案されている。
【特許文献１】実用新案登録台３１３０８０５号公報
【特許文献２】特開２００３−１４４４６８号公報
【特許文献３】特開２００７−１３８３３５号公報
【考案の開示】
【考案が解決しようとする課題】
【０００４】
しかし、上記各提案に係る姿勢矯正用衣類は、背筋だけでなく胸部も伸びて姿勢矯正に効果はあるものの、何れも身体を締め付けることによる呼吸の妨げについては殆ど考慮されていない。
【０００５】
一般に呼吸には腹式呼吸と胸式呼吸があるが、通常、殆どの場合は胸式呼吸により呼吸が行なわれており、息を吸うと胸が広がり、吐くと胸が戻る運動が繰り返される。
【０００６】
ところが、上記の如き姿勢矯正用衣類や従来の補整力のある下着を着ると、この胸の動きが妨げられ浅い呼吸になり、呼吸を早くして必要な酸素を取り込むことが要求される。そのため、強いファンデーション下着を着けると息苦しさが起こる。そこで呼吸運動を妨げないために柔らかで伸縮性のある素材が用いられる。しかし柔らかい素材を用いると呼吸運動は妨げないがファンデーション下着としての補整機能が落ちてしまうので、全体を柔らかく仕上げただけでは充分とは云えない。しかも呼吸運動によって大きく開いた胸部は胸囲も胸の長さも大きくなるが、この変化に対応する構造は備えていない。
【０００７】
本考案は上述の如き実状に鑑み、特にファンデーション下着等の前身頃に分断部を設けることを見出すことにより胸郭（胸部）の呼吸運動を妨げないために製品のたて方向の伸びを切り替えで呼吸できるようにしつつバスト部分はズレがなく、固定されて、全体として背筋だけでなく胸部も十分に伸びて呼吸運動を妨げない姿勢矯正用衣類を提供することを目的とするものである。
【課題を解決するための手段】
【０００８】
即ち、上記目的に適合する本考案の特徴は、伸縮性素材を用いた上半身衣類において、カップ台部と腹部の境界ウエストラインより上で、アンダーバストラインより下の位置において前身頃を分断し、該分断部に腹部パーツの上にカップ台パーツが１０ｍｍ以上の重なりをもつ開放された重合部を設けた姿勢矯正用衣類にある。請求項２は、上記衣類において、カップ部の前面中央部に掛脱具を設け、カップ部の固定性能を高めたことを特徴とする。
【０００９】
ここで衣類とは主にファンデーション下着を指し、特に腹部も胸部も補整力をもち、胸部の動きを妨げない仕様のファンデーション下着を指称する。
【考案の効果】
【００１０】
本考案衣類によれば、前身頃前面部に分断部を設け、腹部パーツの上にカップ台パーツが１０ｍｍ以上重なる開放された重合部が設けられているため呼吸運動によって胸部が大きく開いたとしてもその変化に対応して分断部が拡開し、着丈方向に伸縮可能となり、背筋だけでなく胸部も十分に伸びて胸の締め付けが起こらず、胸部の呼吸運動を妨げることもないと共に、胸部の呼吸運動を妨げないために製品のたて方向の伸びを切り替えで吸収できるようにしているので、従来よりもバスト部分のズレがなく固定されて、全体として胸部も腹部も補整力があり、プレスフリー仕様の効果を有する。
【考案を実施するための最良の形態】
【００１１】
以下、更に添付図面に基づいて本考案の実施形態を説明する。図１，図２は本考案衣類に係るファンデーション下着例であり、図１は前面側、図２は後面側を示す。これら図においてAはファンデーション下着であり、前身頃１と後身頃２によって構成され、全体として経編みや丸編みその他の伸縮性素材によって一体に形成されている。
【００１２】
ここで、本考案は特に前身頃１に特徴を有しており、上部にカップ台パーツ３、下部に腹部パーツ４を有してカップ台部と腹部の境界ウエストラインより上でアンダーバストラインよりも下の位置において分断された分断部５が設けられていて、該分断部５には下部の腹部パーツ４の上にカップ台パーツ３下部が図３に示す如く重なり、該分断部５において両パーツ３，４の重合部が開放された状態で上下に拡開可能に形成されている。この場合、上記腹部パーツ４とカップ台パーツ３との重なり６は、この重なりを設けることによってバスト部のズレを抑えつつも前身頃の着丈が伸縮可能となり、背筋だけでなく、胸部も十分に伸び、呼吸運動を妨げないようにすることから、１０ｍｍ程度あるいはそれ以上の適宜長さが好適で、１０ｍｍ未満の重なりでは、重なり６による効果が乏しくなる。なお、後身頃は形状は特定しないが、背筋を伸ばし胸部を拡げるために伸び止めをもたせるように補強することが好ましい。
【００１３】
図４，図５は上記ファンデーション下着のカップ台パーツ３の固定性能を高めるためにカップ部の前面側中央部に掛脱具７を設けたものである。この場合も、カップ台部と腹部の境界ウエストラインより上でアンダーバストラインより下の位置に分断部５が設けられ、開放された状態で腹部パーツ４とカップ台パーツ３との重なり６が設けられていていることは図１〜図３に示す例と同様である。
【００１４】
なお、掛脱具１としてはフック，ファスナー等が使用される。従って図５に示す如く掛脱具７の掛止を外して装着し、装着後、掛止することによって固定され、カップ台パーツ３の伸縮性素材と相俟って胸の変化に対応し呼吸を楽にする。
【００１５】
以上の本考案各構成によりファンデーション下着等において腹部も胸部も補整力を有し、胸部の動きを妨げることもなく、また呼吸運動も楽な衣類を提供することができる。
【図面の簡単な説明】
【００１６】
【図１】本考案衣類に係るファンデーション下着例の前面側斜視概要図である。
【図２】図１のファンデーション下着例の背面側斜視概要図である。
【図３】図のＸ−Ｘ切断面図である。
【図４】本考案下着に係るもう１つのファンデーション下着例の前面側斜視概要図である。
【図５】図４における前面を開いた状態の斜視概要図である。
【符号の説明】
【００１７】
Ａ：ファンデーション下着
１：前身頃
２：後身頃
３：カップ台パーツ
４：腹部パーツ
５：分断部
６：重なり
７：掛脱具
【図１】
0003147553.tif 000003
【図２】
0003147553.tif 000004
【図３】
0003147553.tif 000005
【図４】
0003147553.tif 000006
【図５】
0003147553.tif 000007